(57)【特許請求の範囲】
【請求項１】
組付けレール（３０）に位置固定可能な差込み式コネクタ（１ａ，１ｂ）であって、
前記差込み式コネクタ（１ａ，１ｂ）のハウジングボディ（２）の外側に、組付けレール（３０）に前記差込み式コネクタ（１ａ，１ｂ）を位置固定する位置固定手段（５，６）が設けられていて、
前記差込み式コネクタ（１ａ，１ｂ）のハウジングボディ（２）の内側に、保持ケージ（１０）が係止されていて、
前記保持ケージ（１０）は、一方の端部において、接続しようとするケーブルの導体を電気的に接触接続する接触接続エレメント（２０）を囲み、他方の端部において、前記接続しようとするケーブルのケーブル外被を囲む、組付けレールに位置固定可能な差込み式コネクタにおいて、
前記差込み式コネクタ（１ｂ）のハウジングボディ（２）の外側で両側に、同種のハウジングボディ（２）を備えた他の差込み式コネクタ（１ａ）との可逆的な結合用の連結エレメント（３，４）が設けられていて、
一方の連結エレメントは円弧状の溝（４）として形成されていて、他方の連結エレメントは円筒状のピン（３）として形成されており、
前記位置固定手段（５，６）は、位置固定ノーズ（５）及びスプリングピン（６）の組合せから形成されており、
前記組付けレール（３０）には、前記位置固定ノーズ（５）及び前記スプリングピン（６）と係合するアンダカット（３１，３２）が形成されており、
前記差込み式コネクタ（１ｂ）の円弧状の溝（４）は、該差込み式コネクタ（１ｂ）の位置固定ノーズ（５）が前記アンダカット（３１）に係合した状態で該差込み式コネクタ（１ｂ）を前記組付けレール（３０）に向かって傾倒させるとき、前記組付けレール（３０）に既に位置固定されている前記他の差込み式コネクタ（１ａ）の円筒状のピン（３）と係合することによって、該差込み式コネクタ（１ｂ）の傾倒を案内するように形成されていることを特徴とする、組付けレールに位置固定可能な差込み式コネクタ。
【請求項２】
前記ハウジングボディ（２）は、ケーブルストレインリリーフ及びシール用のケーブル螺合部（４０）を有することを特徴とする、請求項１記載の差込み式コネクタ。
【請求項３】
前記ハウジングボディ（２）は単一構造において構成されていることを特徴とする、請求項１又は２記載の差込み式コネクタ。
【発明の詳細な説明】
【技術分野】
【０００１】
本発明は、請求項１の上位概念部に記載した差込み式コネクタに関する。
【０００２】
接続されたケーブルの個々の導体と、機器の対応コネクタ又はソケットのコンタクト部との間のコンタクトを形成するために上記差込み式コネクタが必要である。接続されるケーブルの個々の導体は金属製の導体であってよく、また、ガラスファイバ又は同等の材料であってもよい。
【０００３】
先行技術
独国特許第３６２７８９９号明細書及び独国実用新案第８０１０５２４号明細書は夫々、差込み式コネクタシステムを開示している。この差込み式コネクタシステムにおいては、個々の差込み式コネクタハウジングが、当該システムを互いに結合可能にしている手段を有する。さらに差込み式コネクタシステムは、当該システムを個々に又は複合して組付けレールに固定可能にする位置固定手段も有する。
【０００４】
独国実用新案第２０２００８００６９３４号明細書には、光導波体用の差込み式コネクタが開示されている。ハウジングボディは夫々、単に１つの接触接続エレメントを支持するだけであり、かつハウジングボディに一体成形されているウェブが、このウェブに適応した、隣接するハウジングボディの切欠き内に案内されることにより並列させることができる。
【０００５】
並列させられた差込み式コネクタが所定の個数を超えると、差込み式コネクタ列は不安定になるので、ベース部、例えば組付けレール（トップハットレール）が有利である。独国実用新案第２０２００８００６９３４号明細書には、とりわけ上記組付けレールにおける組付け用に適した位置固定手段は開示されていない。したがって、上記差込み式コネクタは、例えばエンクロージャにおいて使用することはできない。
【０００６】
目的提示
本発明の目的は、簡単に製造可能でかつ多方面に使用可能である差込み式コネクタを提案する点にある。
【０００７】
上記目的は、請求項１に記載した特徴により達成される。
【０００８】
本発明の有利な構成は、従属請求項に記載されている。
【０００９】
本発明に係る差込み式コネクタは、ハウジングボディによって囲まれている。
【００１０】
好ましくは、ハウジングボディは単一構造において形成されている。このことは、プラスチックハウジングの場合には、公知のプラスチック射出成形法により、又は金属製のハウジングの場合には、公知の亜鉛ダイカスト法により実現することができる。
【００１１】
混合材料、例えば金属及びプラスチックの組合せから成るハウジングボディを構成することも可能である。
【００１２】
ハウジングボディの内側には、保持ケージが脱落不能に係止されている。
【００１３】
保持ケージは、ほぼ中空円筒体として形成されている。一方の端部において保持ケージは、軸線方向を向いている、接触接続エレメントを脱落不能に囲んで係合する２つのアームを有する。他方の端部において保持ケージは、差込みコネクタに接続するようにしたいケーブルのケーブル外被を囲んで係合する。ケーブルの導体は、接触接続エレメントに、例えば圧着結合を介して接触接続されている。
【００１４】
ハウジングボディの外面に、両側で連結エレメントが設けられている。これらの連結エレメントは、同種のハウジングボディに２以上の差込み式コネクタを一緒に連結することを可能にする。
【００１５】
好ましくは、一方の連結エレメントは円弧状の溝として形成されており、他方の連結エレメントは円筒状のピンとして形成されている。一方のハウジングボディの円筒状のピンは、連結したい同種のハウジングボディの円弧状の溝内に導入されるように設計することができる。したがって、同種のハウジングボディを備えた複数の差込み式コネクタを並列させることができる。
【００１６】
並列の際には、単にハウジングボディだけを同種で構成するだけでよい。差込み式コネクタの内部環境は、全く種々異なっていてよい。したがって、例えば多極性の電気的な差込み式コネクタを、単極性の光導波体・差込み式コネクタと組み合わすことができる。これにより、差込み式コネクタアッセンブリの高いモジュール性を達成することができる。差込み式コネクタアセンブリは、複数の差込み式コネクタのシステムとも称呼される。
【００１７】
さらにハウジングの外側に、組付けレール、例えばトップハットレールに差込み式コネクタを位置固定することを可能にする位置固定手段が一体成形されている。
【００１８】
差込み式コネクタは、上下に連結エレメントを介して互いに連結することができ、さらに組付けレールにおいて脱落不能に位置固定することができる。
【００１９】
位置固定手段は、位置固定ノーズ及びスプリングピンの組合せから成っている。位置固定ノーズは、軸線方向に突出していて、組付けレールのつばに係合する。位置固定ピンは、ばね弾性的に構成されていて、組付けレールにおける係止時には、位置固定ピンが組付けレールの他のつばに後方から係合して係止される前に、まず変位することができる。
【００２０】
差込み式コネクタはケーブルストレインリリーフを保証し、かつハウジングボディの埃及び水といった媒体に対するハウジングボディのシールを保証するケーブル螺合部により完成される。
【００２１】
差込み式コネクタの所望の数が、組付けレールに一列に並べられていると、差込み式コネクタのシステムとも称呼される。
【００２２】
差込み式コネクタの２つのシステムを互いに接触接続するために、差込み式コネクタの複数のシステムが夫々設けられている組付けレールをまとめて構成する必要がある。このことは、個々の組付けレールを脱落不能に互いに結合するロック装置を介して実現されるので、相対する差込み式コネクタも互いに接触接続される。
【００２３】
ロック装置は、受動的なロック部分と、能動的なロック部分とから成っている。能動的なロック部分は、受動的なロック部分を能動的なロック部分に接合するロックエレメントを支持する。
【００２４】
受動的なロック部分に能動的なロック部分をロックする際に、差込み式コネクタのシステムの組付けレールは互いに案内され、互いに結合される。さらに、個々の相対する差込み式コネクタは互いに接触接続される。
【００２５】
好ましくは、受動的なロック部分のロックエレメントは、トグル機構ロック部を形成する。これにより特に安定的なロック部が達成される。
【００２６】
互いに連結しようとする組付けレールの組合せを容易にするために、ロック装置は案内部を有する。この案内部は、能動的なロック部分に設けられているボルト若しくはピンから成る。このボルト若しくはピンは、ロックプロセスにおいてボルト若しくはピンのために設けられている、受動的なロック部分における開口に案内される。
【００２７】
受動的なロック部分は両側に位置固定手段を有する。この位置固定手段によって組付けレールは位置固定可能である。したがって、２つの組付けレールが、上下に、つまり水平方向に離間されて、静力学的に安定して配置することができる。能動的なロック部分と受動的なロック部分とを互いに連結することにより、接触接続されたシステムは、差込み式コネクタから水平に離間することができ、かつ静力学的に安定して配置することができる。ロック装置は、差込み式コネクタの多数のシステムを任意に上下に重ねて配置することができ、いわゆる差込み式コネクタアレイを形成することができる。
【図面の簡単な説明】
【００２８】
【図１】差込み式コネクタの斜視図である。
【図２】差込み式コネクタの別の斜視図である。
【図３】ベースボディがない状態の差込み式コネクタの斜視図である。
【図４】接触接続エレメントの斜視図である。
【図５】組付けレールに組付けられている差込み式コネクタの側面図である。
【図６】連結プロセスにおける２つの差込み式コネクタの斜視図である。
【図７】差込み式コネクタの互いに結合されている２つのシステムの斜視図である。
【図８】ロック装置の側面図である。
【００２９】
本発明の実施の形態を、図示し以下に詳細に説明する。
【００３０】
図１，２に、本発明に係る差込み式コネクタの実施の形態の斜視図を示す。しかしながら、本発明は、図示の実施の形態に限定されるものではない。
【００３１】
差込み式コネクタ１は、ベースボディ２によって囲まれる。中空のベースボディ２の内側には、保持ケージ１０が脱落しないように係止されている。図３に、ベースボディ２がない状態の差込み式コネクタ１を示す。保持ケージ１０は、一方の端部に係止エレメント１２を有する。これらの係止エレメント１２は、ベースボディの内側に設けられている係止エレメント１２に適合するアンダカット（図示せず）と係合し、保持ケージ１０をベースボディ２に位置固定する。この端部においては、接続されるケーブル（図示せず）のケーブル外被も、保持ケージを貫通する。
【００３２】
他方の端部に保持ケージはアーム１１を有する。これらのアーム１１は接触接続エレメント２０を包囲する。これにより、接触接続エレメント２０はベースボディ２において、軸線方向の対称軸線に沿って位置固定される。
【００３３】
上述のように保持ケージ１０の相対する端部は、接続されるケーブルのケーブル外被によって貫通される。接続されるケーブルの導体は、接触接続エレメント２０でもって圧着されている。
【００３４】
図４に、接触接続エレメント２０の斜視図を示す。接触接続エレメント２０は片側に、接続されるケーブルの導体を収容するための圧着開口２１を有する。接触接続エレメント２０の他方の側は、この実施の形態においては、ピンコンタクト２２として構成されている。またソケットコンタクトが設けられていてもよい。
【００３５】
本発明は、シングルコンタクト差込み式コネクタに限定されない。接触接続エレメント２０は、複数の圧着開口２１と、多心線式のケーブルを接続するための複数のコンタクト２２を有することもできる。
【００３６】
ベースボディ２は一方の側に円筒状のピン３を有し、相対するようにして円弧状の溝４を有する。差込み式コネクタ１のピン３は、他の差込み式コネクタ１の溝４に導入されることに適している。したがって複数の差込み式コネクタ１は、並列されるか若しくは互いに連結される。所望な数の差込み式コネクタが達成されていると、差込み式コネクタ１，１′のシステムと称呼される。
【００３７】
さらにハウジングボディ２に、位置固定ノーズ５及びスプリングピン６が設けられている。位置固定ノーズ５及びスプリングピン６は一緒になって、組付けレール３０における差込み式コネクタ１の可逆的な位置固定を可能にする。位置固定ノーズ５は、組付けレール３０のアンダカット３１に係合する。組付けレール３０の方向で下方に差込み式コネクタ１が傾倒する場合、スプリングピンは傾斜付けされた肩部（Kranz）３３によってまず曲げ戻され、その後、組付けレール３０の他のアンダカット３２と係合する。
【００３８】
ハウジングボディ２は、さらに支持輪郭７を有する。この支持輪郭７は、差込み方向での組付けレール３０における差込み式コネクタ１の運動時に、この運動により発生した力を、スプリングピン６が完全に受け止めなければならない、ということを阻止する。
【００３９】
差込み式コネクタ１に、先行技術において一般的に公知であるケーブル螺合部４０が設けられている。したがって、ケーブル螺合部については記載しない。ケーブル螺合部４０は、接続されるケーブルのストレインリリーフのために働き、かつ埃及び水といった媒体に対するベースボディ２のシールのために働く。
【００４０】
図６に、組付けレール３０における２つの差込み式コネクタの連結プロセスを示す。１つの差込み式コネクタ１ａが、この図６において既に組付けレールに位置固定されている。組付けレールに連結される差込み式コネクタ１ｂの位置固定ノーズ５が、まずアンダカット３１に挿入される。次いで、差込み式コネクタ１ｂは、矢印７の方向で組付けレール３０に向かって動かすことができる。差込み式コネクタ１ｂの円弧状の溝は、差込み式コネクタ１ａの円筒状のピン３に後方から係合する。溝４の円弧形状に基づいて、差込み式コネクタ１ｂは、矢印７の方向で案内することができる。次いでスプリングピン６は上述のように、組付けレール３０のアンダカット３２において係止される。差込み式コネクタ１ａ及び１ｂは互いに連結されていて、また組付けレール３０に位置固定されてもいる。
【００４１】
差込み式コネクタのモジュール形のシステムから成る差込み式コネクタを連結解除する際には、ちょうど逆の手順をたどる。スプリングピン６を、まず手によりアンダカット３２から押し出す必要がある。次いで差込み式コネクタは、矢印方向７とは反対方向で、隣合う差込み式コネクタ及び組付けレール３０から解除することができる。
【００４２】
図８に、ロック装置５０の側面図を示す。ロック装置５０は、受動的なロック部分５１及び能動的なロック部分５２から成っている。
【００４３】
能動的なロック部分５２も、受動的なロック部分５１も、組付けレール３０のアンダカット３１内に導入可能であるノーズ５６を有する。結合体５５を介して２つのロック部分５１，５２は、各々の組付けレール３０，３０′に位置固定することができる。結合体５５は、同時に結合部分５１，５２の切欠き５７，５８に係合し、かつ組付けレール３０の後方の溝３４に係合する。
【００４４】
ロック部分５１，５２を簡単にまとめて構成することができるように、案内部が設けられている。受動的なロック部分５１は、能動的なロック部分５２のピン５３が導入可能な開口５４を有する。
【００４５】
２つのロック部分５１，５２のロック解除は、能動的なロック部分５２に取り付けられた緊締ばね５９を介して実現される。この緊締ばね５９は緊締レバー６０に結合されている（同様に能動的なロック部分５２に取り付けられている）。緊締ばね５９は、受動的なロック部分５１の緊締ノーズ６１に掛けられている。緊締レバー６０の操作により、２つのロック部分５１，５２はまとめられ、互いに可逆的に結合される。緊締ノーズ６１、緊締ばね５９及び緊締レバー６０の組合せは、トグル機構の原理に基づいて作用し、これにより同時に、ロック部分５１，５２及び互いに接触接続されている差込み式コネクタ１，１′の特に安定的な連結をもたらす。さらにトグル機構の原理はロック解除プロセスを促進する。
【００４６】
図７に、差込みコネクタ１，１′のシステムの複数の階層を示す。差込みコネクタ１，１′の２つの相対するシステムは、ロック解除装置５０を介して互いに接触接続されている。ロック解除装置５０に、組付けレール３０，３０′は両側で位置固定することができる。これにより差込みコネクタ１，１′の複数のシステムを同じ間隔を置いて上下に配置することができる。
【符号の説明】
【００４７】
１  差込み式コネクタ
２  ベースボディ
３  円筒状のピン
４  円弧状の溝
５  位置固定ノーズ
６  スプリングピン
７  支持輪郭
１０  保持ケージ
１１  アーム
１２  係止エレメント
２０  接触接続エレメント
２１  圧着開口
３０  組付けレール
３１  アンダカット
３２  アンダカット
３３  肩部
３４  溝
４０  ケーブル螺合部
５０  ロック装置
５１  受動的なロック部分
５２  能動的なロック部分
５３  ピン
５４  開口
５５  結合体
５６  ノーズ
５７  切欠き
５８  切欠き
５９  緊締ばね
６０  緊締レバー
６１  緊締ノーズ
【図１】
0005730414.tif 000002
【図２】
0005730414.tif 000003
【図３】
0005730414.tif 000004
【図４】
0005730414.tif 000005
【図５】
0005730414.tif 000006
【図６】
0005730414.tif 000007
【図７】
0005730414.tif 000008
【図８】
0005730414.tif 000009